(57)【特許請求の範囲】
【請求項１】
中央伝動ケース（２）内に、駆動スプロケット（４）と耕耘軸（６）に固着した従動スプロケット（５）間に掛架した無端チェーン（３）を介して正回転する耕耘軸（６）と、前記無端チェーン（３）の弛み側に噛合させた逆転スプロケット（８）を固着したカウンター軸（７）とを軸支し、
前記耕耘軸（６）の左右には耕耘外筒軸（９）を支承し、
該耕耘外筒軸（９）に固定スプロケット（１０）を固着するとともに一定間隔を置いて正転従ギヤ（１２）を固着し、
前記カウンター軸（７）には前記固定スプロケット（１０）に対応するフリースプロケット（１１）を嵌合して、前記固定スプロケット（１０）とフリースプロケット（１１）間に無端チェーン（１５）を掛架するとともに、
前記正転従ギヤ（１２）と対応しシフト軸（１８）と連結した移動板（２１）を介して連係して噛合いを係脱可能とし且つドッククラッチ（１４）を介して前記フリースプロケット（１１）と対面係合させられる逆転主ギヤ（１３）をスライド自在に設けて成る一軸正転並びに正逆転切換えロータリ伝達装置。
【発明の詳細な説明】
【０００１】
【発明が属する技術分野】
本発明は、耕耘機用のロータリの正逆切換え、より具体的には、一軸正転並びに正逆転切換えロータリ装置に関する。
【０００２】
【従来の技術】
これまでに、耕耘爪を正逆転切換えさせられる一軸型ロータリ伝達機構は、種々提案されている。
しかし、硬い圃場における耕耘作業は、ダッシング抑制作用がはたらいて有効であるが、硬くない通常の圃場においては、ダッシング抑制作用が効き過ぎて車輪スリップを起こし、所望の前進速度が得られず、その結果作業の効率性、安定性が阻害される難点が伴った。
【０００３】
【発明が解決しようとする課題】
本発明は、従来技術のかかる難点に鑑みてなされたもので、圃場の状況により随時一軸正転ないし一軸正逆転の切換えを自在に行える手段を付与したロータリ伝達機構を提供するものである。
【０００４】
【課題を解決するための手段】
上記目的を達成するため、本発明は、機体（図示していない）に設けられた中央伝動ケース２内に、駆動スプロケット４と耕耘軸６に固着された従動スプロケット５間に掛架した無端チェーン３を介して正回転する耕耘軸６と、前記無端チェーン３の弛み側に噛合させた逆転スプロケット８を固着したカウンター軸７とを軸支する。
【０００５】
そして、前記耕耘軸６の左右には耕耘外筒軸９を支承し、該耕耘外筒軸９に固定スプロケット１０を固着するとともに一定間隔を置いて正転従ギヤ１２を固着する。
【０００６】
そして、前記カウンター軸７には前記固定スプロケット１０に対応するフリースプロケット１１を嵌合して、前記固定スプロケット１０と前記フリースプロケット１１間に無端チェーン１５を掛架する。
そして、前記正転従ギヤ１２と対応しシフト軸１８と連結した移動板２１を介して連係して噛合いを係脱可能とし且つドッククラッチ１４を介して前記フリースプロケット１１と対面係合させられる逆転主ギヤ１３をスライド自在に設けて一軸正転並びに正逆転切換えロータリ伝達装置を構成する。
【０００７】
なお、上記構成において、シフト軸１８のシフト手段は種々の形態が考えられるが、図面では、中央伝動ケース２内において作動アーム２０を介してシフトロッドレバー１９と連結して、そのシフトロッドレバー１９の手元操作部１９ａが中央伝動ケース２の上部位の外部に臨ませた態様が示されている。
【０００８】
【発明の作用並びに効果】
本発明は以上のように構成されるから、シフトロッドレバー１９を操作してシフト軸１８を右側ないし左側に所定範囲スライドさせることにより移動板２１を右側ないし左側に一定間隔の範囲に動かすことによりカウンター軸７上の逆転主ギヤ１３を耕耘外筒軸９の正転従ギヤ１２にシフトした（噛み合わせ）状態において耕耘走行すると、耕耘軸６の正転に対しカウンター軸７が駆動を司る無端チェーン３の弛み側に噛合させた逆転スプロケット８を介して逆転し、これに伴ってカウンター軸７のスプライン軸に嵌ったスライド自在な逆転主ギヤ１３が逆転して正転従ギヤ１２が正転し、その耕耘外筒軸９に装着した耕耘爪１７が正転する耕耘軸６の耕耘爪１６と同一方向（正転方向）に回転する（図１、図２）。
なおこの時、カウンター軸７に嵌合されたフリースプロケット１１は逆転主ギヤ１３と分離しているので空転状態に置かれ、上記動作に何らの影響も与えない。
【０００９】
さて、土壌条件の悪い圃場においては、シフト軸１８を逆方向に操作して、逆転主ギヤ１３をフリースプロケット１１とドッククラッチ１４を介して対面係合させる。
これにより、耕耘外筒軸９は逆転主ギヤ１３との噛み合いから解放され、又上記逆転主ギヤ１３とフリースプロケット１１との対面係合によりカウンター軸７の逆転動作が耕耘外筒軸９に伝わってその耕耘外筒軸９に装着した耕耘爪１７が耕耘軸６に装着した耕耘爪１６と逆方向に回転する（図３）。
【００１０】
そして圃場の硬さに対応した上記切換え動作により、所謂ダッシング抑制効果が調整され、ロータリに適切な回転力と速度を付与し、作業の効率性と安定性を得られるものである。
【００１１】
構造が簡潔で、コンパクト化が図れ、また操作が簡単で、円滑作動性に優れていることも大きな利点となる。
【００１２】
【実施例】
図１乃至図３において、２が機体（図示していない）に設けられた中央伝動ケース２で、内部に駆動スプロケット４と耕耘軸６に固着された従動スプロケット５間に掛架した無端チェーン３を介して正回転する耕耘軸６と、前記無端チェーン３の弛み側に噛合させた逆転スプロケット８を固着したカウンター軸７とを軸支する。
またこのカウンター軸７の上方には、後に説明する該カウンター軸７にスライド自在に設けられた逆転主ギヤ１３のシフト軸１８が軸架され、その中間部位が中央伝動ケース２内において、作動アーム２０を介してシフトロッドレバー１９と連結して、そのシフトロッドレバー１９の手元操作部１９ａが中央伝動ケース２の上部位の外部に臨ませてある。
【００１３】
そして、前記耕耘軸６の左右には耕耘外筒軸９を支承し、該耕耘外筒軸９の一方寄りに固定スプロケット１０を固着するともに他方寄りに正転従ギヤ１２を固着する。
この耕耘外筒軸９の中央伝動ケース２外部に臨む外周には耕耘爪１７が装着され、中央伝動ケース２外部に臨む外周に耕耘爪１６を装着した先の耕耘軸６と一軸型耕耘軸を成す。
【００１４】
そしてさらに、前記カウンター軸７には、前記固定スプロケット１０に対応するフリースプロケット１１を嵌合するとともに前記正転従ギヤ１２と対応し、シフト軸１８と連結した移動板２１を介して連係して噛合いを係脱可能とし且つドッククラッチ１４を介して前記フリースプロケット１１と対面係合させられる逆転主ギヤ１３をスライド自在に設けて一軸正転並びに正逆転切換えロータリ伝達装置を構成する。
【図面の簡単な説明】
【図１】本発明装置の要部縦断正面図（一軸正転状態）
【図２】図１Ａ−Ａ略図的側面図
【図３】本発明装置の要部縦断正面図（一軸正逆転状態）
【図４】本発明装置を実施したロータリの背面図
【符号の説明】
２      中央伝動ケース
３      無端チェーン
４      駆動スプロケット
５      従動スプロケット
６      耕耘軸
７      カウンター軸
８      逆転スプロケット
９      耕耘外筒軸
１０      固定スプロケット
１１      フリースプロケット
１２      正転従ギヤ
１３      逆転主ギヤ
１４      ドッククラッチ
１５      無端ベルト
１６      耕耘爪
１７      耕耘爪
１８      シフト軸
１９      シフトロッドレバー
２０      作動アーム
【図１】
0003587767.tif 000002
【図２】
0003587767.tif 000003
【図３】
0003587767.tif 000004
【図４】
0003587767.tif 000005